(57)【要約】      （修正有）【課題】室内用にも就寝時用としても好適し、足下を温め血行を良くするスリッパ兼用の靴下を提供すること。【解決手段】足の甲の前側から踵を含む足首下を覆う靴形の本体１を、柔軟軽量で保温性のある厚手布材で形成する。本体１の内側底部１ａと足先部１ｂ及び踵部１ｃにかけて、遠赤外線放射物質を含有する磁鉄鉱入りのスポンジ状弾性シート３を配置し、弾性シート３の前記底部１ａ全体に多数の小孔４を列穿する。【選択図】図１
0003133341.tif 000002
【実用新案登録請求の範囲】
【請求項１】
足の甲の前側から踵を含む足首下を覆う靴形の本体を、柔軟軽量で保温性のある厚手布材で形成し、本体の内側底部と足先部及び踵部にかけて、遠赤外線放射物質を含有する磁鉄鉱入りのスポンジ状弾性シートを配置し、弾性シートの前記底部全体に多数の小孔を列穿してなるスリッパ兼用保温靴下。
【請求項２】
靴下本体の履き口に、横バンドを一体的に設けることを特徴とする請求項１記載のスリッパ兼用保温靴下。
【考案の詳細な説明】
【技術分野】
【０００１】  本考案は、スリッパとしても使用できるスリッパ兼用保温靴下に関する。
【背景技術】
【０００２】  靴下に保温性を持たせるための提案は従来多数存在する（例えば特許文献１〜３参照）。
【特許文献１】特開２００２−３１７３０２号公報
【特許文献２】特開２００５−２４０２３８号公報
【特許文献３】登録実用新案第３０６８６１４号公報
【考案の開示】
【考案が解決しようとする課題】
【０００３】  特許文献１に記載の靴下は、就寝時の足部を保温し且つ足裏の発汗を未然に防止することを目的とし、そのために足底部の網目を他の領域の網目よりも大きくしたことを特徴としている。つまり足底部の網目を大きくしたことで通気性が良くなるという構造のもので発汗が抑制される効果を所期している。確かに網目を通気性が良くなるように大きく形成することはそれなりの効果を発揮できるが、そのために靴下全体を所定の網目構造とする必要があり、製造工程もそれに見合った編成用の機械を用いるという煩雑さがある。また発汗は促進できても例えば寒冷時に十分な保温性を持たせることは難しく、足の冷え対策には十分に対応できるものとはならず、血行を良好とする手段としては適切性に欠けるという問題点がある。【０００４】  特許文献２に記載の靴下は、表面の滑らかさや表面タッチをソフトにすることで着用時の履き心地を快適にし、保温性を向上させることで着用に快適感をもたせようとするものである。そのためにウェール方向の表面粗さを一定数値以下としたレッグ部を有し、その部分を弾性糸を芯糸にしてポリアミドマルチフィラメント仮撚糸を巻き付けたシングルカバリング糸を用いてなる構造のものとしてある。この技術は主として着用時の感触を良好ならしめることを目的としたもので、着用時にそれなりのソフト感やある程度の保温性を維持できるものといえるが、保温性の点では通常の厚手靴下とそれほどの差異はなく、足裏に対し血行促進機能を発揮するとは言い難く、足の冷えを回復するには十分とはいえない憾みがある。【０００５】  特許文献３に記載の靴下は、薄さと保温性を両立できて冷えを防止することもでき、嵩張らずコストダウンが図られることを所期しており、そのために布材が内層と外層の二重構造であり、内層が絹を含んで編成され、絹で保温力を高めた内層の外側に空気層が配置されることで断熱効果を高め、暑さを薄くしても保温性能が確保できるとしている。この靴下は肌着感覚で使用できることを主目的としたものであるから薄い構造であることを特徴としており、したがって擦ったり鋭利なものと接触すると切破しやすく、また外観が無味乾燥で靴下としてはファッション性にも欠けるなどの問題がある。【０００６】  しかして上記した技術はいずれも靴下としての使用目的を持つものでその全体形状も自ずから限界があり、就中寒冷時や足の冷え対策としては必ずしも十分な機能を発揮できないという懸念があった。本考案はこのような従来技術に鑑みてなされたもので、その目的とするところは、靴下としてもスリッパとしてもその機能が発揮でき、なおかつ着用時の感触は良好で、特に寒冷時などの足の冷え防止に適切するスリッパ兼用保温靴下を提供しようとするものである。
【課題を解決するための手段】
【０００７】  上記目的を達成するために本考案は、足の甲の前側から踵を含む足首下を覆う靴形の本体を、柔軟軽量で保温性のある厚手布材で形成し、本体の内側底部と足先部及び踵部にかけて、遠赤外線放射物質を含有する磁鉄鉱入りのスポンジ状弾性シートを配置し、弾性シートの前記底部全体に多数の小孔を列穿してなるスリッパ兼用保温靴下である。【０００８】  前記靴下本体の履き口に、横バンドを一体的に設けることを特徴とする。
【考案の効果】
【０００９】  本考案の靴下は、本体が靴形で厚手布材からなるため通常の靴下とは異なる体裁をとり、あたかも足袋やスリッパのように室内での使用に好適する。またソフト感があるため着用したまま就寝しても違和感はなく足先の冷え防止に役立つ。【００１０】  本体の内側には、遠赤外線放射物質を含有する磁鉄鉱入りの弾性シートがあり、このシートは底部と足先部及び踵部にかけて配置したものであるから、履き口より足を挿入すると、当然ながら足先、足裏、踵の夫々が弾性シートから発する遠赤外線の放射を直接に受けることとなり、足首から下の足の血行が促進される。従って冬季など、足の冷えが著しくても、着用することによって漸次足が温かくなって冷えが解消される。また磁鉄鉱入りのため磁気発生も程よく働き、遠赤機能と相まって足下からの細胞活性化が助長され就寝中にいつしか足の血流が活発となって熟睡ができ、ストレスの解消にも役立つ。また弾性シートはスポンジ状でクッション性に冨み、足裏の感触が良好で長時間着用しても疲れを覚えることがない。【００１１】  靴形の本体はスリッパ代わりともなるためフローリング清掃時などに着用すると例え室内が冷えていても足下は温かく、冬場などの室内作業が快適となり作業能率がアップする。【００１２】  弾性シートには多数の小孔が列穿してあり、通気性を有するため足のムレを未然に防止できる。【００１３】  靴下本体の履き口に横バンドを一体的に設けておくことで、特に就寝中に足を無意識に動かすことがあっても足から抜け出るおそれがない。
【考案を実施するための最良の形態】
【００１４】  図面につき本考案を説明すると、図１及び図２において１は靴形の本体を示すもので、足の甲の前側から踵を含む足首下を覆い、履き口２は簡易運動靴のように足先から直ちに挿入できるように広めに形成されている。本体１は柔軟軽量で保温性のある厚手部材で構成される。本体１の素材に特に限定はなく、表面が平滑状でソフトな布繊維の単体或いは重ね合わせたものなどでもよく、全体を同一の素材とすることもできるが、例えばフローリング作業に使用するものの場合には、底部裏面を滑り止め機能を発揮する布材を設けることが好ましい。【００１５】  本体１の内側には遠赤外線放射物質を含有する磁鉄鉱入りのスポンジ状弾性シート３を配置してある。該弾性シート３は本体１の底部１ａ、足先部１ｂ、踵部１ｃにかけて設けられ、底部１ａに該当する弾性シート３には直径１ミリ程度の小孔４が縦横１センチ程の間隔で多数個列穿され、従って着用時のムレ防止や滑り止めとしての機能を有する。なお弾性シート３は図示しないが、スポンジ体の上下面を薄い伸縮性のある布帛が一体的に設けてある。【００１６】  図３及び図４は、全体的に前記した靴下よりも小型で特に就寝時用として好適する例を示したものであり、靴下本体１の履き口２に、横バンド５を一体的に設けたことを特徴としている。この場合も図１の例と同様に本体１の内側には、遠赤外線放射物質を含有した磁鉄鉱入りでスポンジ状の弾性シート３を配置してある。足の冷え防止には足先を温めることが肝要であり、そのためこの場合も本体１の足先部１ｂにもスポンジ布３は設けられるが、踵部１ｃは底が浅いため、その下端部に位置させるたけでも良い。【００１７】  横バンド５は本体１に足を挿入したときに足首部分をしっかりと固定する機能を有し、したがって就寝中に姿勢が変わったりしても本体１から足が抜け出る心配がない。そして一旦着用すると足先から踵にかけて覆われるため保温効果が発揮され、就中足首は、底部と足先部の弾性シート３から放射される遠赤外線と磁気の作用が相まって血行が促進されるため、冷えた布団に入っても直ちに足下からじんわりとしたぬくみが生じて心地よい眠りにつくことができる。【００１８】  このように本考案は足下の冷えの防止に著効があり、冬場は勿論であるが夏場の冷房が効きすぎたような室内で着用しても冷えの防止に役立つものであり、特に冷えに弱い女性には室内履きとして頗る有益でありその用途多岐にわたるものといえる。そして足下を温めることによって全身の血流細胞の活性化に裨益するところがあり、健康増進に役立つことこの上ない優れた効果を発揮するものである。【００１９】  なお本考案における形状・素材・厚み等については任意であり、本考案の目的効果を奏する範囲における変更は、本考案の自由な実施の範疇に属する。
【図面の簡単な説明】
【００２０】
【図１】  本考案の外観斜視である。
【図２】  図１の中央断面図である。
【図３】  本考案の他の例を示す外観図である。
【図４】  図３の靴下の着用状態を示す側面図である。
【符号の説明】
【００２１】  １    本体
１ａ  底部
１ｂ  足先部
１ｃ  踵部
２    履き口
３    弾性シート
４    小孔
５    横バンド
【図１】
0003133341.tif 000003
【図２】
0003133341.tif 000004
【図３】
0003133341.tif 000005
【図４】
0003133341.tif 000006